(57)【特許請求の範囲】
【請求項１】
捨型枠として敷設するデッキプレートに予め床用鉄筋トラスが溶接された鉄筋トラス付デッキプレートに下階の天井設備類を吊設するためのインサートを前記鉄筋トラス付デッキプレートに取付け下部に下階の天井設備類を吊設支持する吊込構造体であって、
前記鉄筋トラス付デッキプレート（１）のデッキプレート基板（１ａ）に穿設された貫通孔（１ｄ）に挿通される寸切りボルト（２ａ）と、前記寸切りボルト（２ａ）に前記デッキプレート基板（１ａ）を挟持するようにして螺着される上部ナット（５ａ）と下部ナット（５ｂ）とで構成されるインサート（２）と、
前記寸切りボルト（２ａ）の上方部に螺着された上方上部ナット（３ａ）及び上方下部ナット（３ｂ）で挟持される大ワッシャ（４）と
前記寸切りボルト（２ａ）の下方部に螺着された長ナット（７）と、
該長ナット（７）の下方部に螺着された天井設備類の吊込部材（８）と
からなることを特徴とする前記インサートを前記鉄筋トラス付デッキプレートに取付け下部に下階の天井設備類を吊設支持する吊込構造体。
【請求項２】
捨型枠として敷設するデッキプレートに予め床用鉄筋トラスが溶接された鉄筋トラス付デッキプレートにコンクリートを打設するのに先立って、予め建物の床用に複数の鉄筋トラス付デッキプレート同士を鉄筋トラス間で現場溶接した、鉄筋トラス付デッキプレートのデッキプレート基板（１ａ）に穿設された挿通孔（１ｄ）に、
寸切りボルト（２ａ）の上方部に大ワッシャ（４）を上方上部ナット（３ａ）と上方下部ナット（３ｂ）とによって挟持、締結し、その下方部に上部ナット（５ａ）を螺着させたインサート（２）を挿入し、
次いで前記寸切りボルト（２ａ）の下方から下部ナット（５ｂ）を螺挿して、前記上部ナット（５ａ）と下部ナット（５ｂ）とでデッキプレート基板を挟持するようにして螺着してインサートをデッキプレート基板（１ａ）に締結した後、
前記寸切りボルト（２ａ）下部に長ナット（７）の一端を螺着し、該長ナット（７）の他端のねじ部に天井設備類の吊込部材（８）を螺着して取り付け、
該天井設備類の吊込部材（８）に天井設備類取付部材（Ａ）を接続し、
天井設備類取付部材（Ａ）に天井設備類を取り付けることを特徴とする鉄筋トラス付デッキプレート下部への天井設備類取付方法。
【請求項３】
前記天井設備類が、天井下地、天井裏に設置される空調用ダクト、排煙ダクト、給湯管、給水管、電線管、各種ケーブルであることを特徴とする請求項２に記載の鉄筋トラス付デッキプレート下部への天井設備類取付方法。
【発明の詳細な説明】
【技術分野】
【０００１】
鉄骨造の建物の合成床部材の施工において、捨型枠として敷設するデッキプレートの敷設後、床コンクリート打設前に下階の設備吊込み工事を可能とする、インサートをデッキプレートに取付け下部に下階の天井設備類を吊設支持する吊込構造体及び前記インサートを用いたデッキプレート下部の天井設備類取付方法に関する。
【背景技術】
【０００２】
近年、ビルやホテル、病院等の多層階の建物の多くがその施工速度や経済性から、鉄骨造（Ｓ造）や鉄骨鉄筋造（ＳＲＣ造）（以降、鉄骨造等という。）で建設されている。従来このような鉄骨造等の建物において、床構造材としてデッキプレートを敷設し捨型枠とし、該デッキプレート上に鉄筋を配筋した後、コンクリートを打設する工法が採用されている。
この工法に限らず、多層階の建物では、前記床構造材の下部が下階の天井となるため、前記床構造材に下階の天井設備類（例えば、天井裏に設置される空調用ダクト、排煙ダクト、給湯管、給水管、電線管等の配管類、ケーブル類）を吊下げ支持するための支持部材を配設する必要がある。
そのため、デッキプレートに鉄筋を配筋した後、コンクリートを打設する前に、デッキプレート上にインサート位置の墨出しをして貫通孔を穿設し、該貫通孔を利用して、インサートと呼ばれるスラブ床下の吊り支持や固定支持のためにコンクリートスラブ躯体内に埋め込むアンカを配設し、その後デッキプレート上にコンクリートを打設し、前記インサートを該コンクリート内に埋設している。
そして、該コンクリートが硬化し床構造材の強度が保持された状態で初めて前記インサートの固定強度が生じるので、前記インサートの貫通孔の下方から覗く雌ねじに、デッキプレート下方から吊りボルト等を螺着配設し、吊ボルトから吊り下げられる配管提灯バンドや支持金物を介して配管やダクトなど天井設備類の設置がなされる。
【０００３】
しかし、大規模ビルなど多層階の建物では、捨型枠になるデッキプレートの敷設は、鉄骨梁や鋼ボックス材の柱などの建築建方に伴い順調に各階敷設が進む（建築の建方クレーンの吊上げ手順に起因してむしろ進めなければならない）のに対して、各階のコンクリート打設工事にタイムラグがある。これは、生コンクリートをミキサー車で搬入し、ポンプ車を通じて配管ホースで打設場所に圧送しバイブレータで締め固める工程が、時間が非常に掛かるのと、別手配で天候にも左右されるためであり、そのため、コンクリート打設工事が進捗しないことがある。また、上階のコンクリート打設工事及び、該コンクリートの硬化が完了するまで下階の天井設備類の設置工事ができず、下階の天井設備類の設置工事を始めとする各設備の工事の工期に遅れが生じるという問題がある。
また、近年、新築工事現場ではますますの短期工期が要求されているが、慢性的な職人不足により、鉄骨工事、デッキプレートの敷設作業までは完了しても、その後の鉄筋の配筋作業が進まず、コンクリート打設までにかなりの遅れが生じ、下階の付帯設備や内装工事の工程に深刻な影響を及ぼしている。
【０００４】
ところで、通常のデッキプレートを捨型枠として配筋後、コンクリートを打設して床を形成する鉄骨造等の建物において、上階の床構造材にスラブ床下の吊り支持や固定支持のためにコンクリートスラブ躯体内に埋め込むアンカとなる、通常のインサートとして、図７及び図８のようなインサートを用いた吊りボルトの取付け構造が存在する。
上記インサートは、インサート金物２１と、合成樹脂製スリーブ２２と、コイルスプリング２３と、鋼製スリーブ２４という部品が組み込まれて一体になった構成である。上記インサートは、床スラブ用打込み型枠であるデッキプレート１０に開設した貫通孔１０ａに対し、インサート金物２１の下端部に嵌着した合成樹脂製スリーブ２２を、当該スリーブ２２に形成した抜止め弾性片２２ａの上端がデッキプレート１０の下面と対向する状態に挿入し、インサート金物２１の外周に、インサート金物２１を上昇付勢するコイルスプリング２３と、インサート金物２１の大径鍔部２１ａとの当接によりインサート金物２１が一定以上下降することを阻止する鋼製スリーブ２４とを套嵌し、インサート金物２１のねじ穴２１ｂに天井設備類の吊りボルト２０の上端側ねじ部をねじ込んであることを特徴としている。（特許文献１）
【０００５】
上記構造によれば、床スラブ用コンクリートを打設する前に、デッキプレート１０に開設された貫通孔１０ａの下方からインサート内部の雌ねじが見えるので形上はデッキプレート１０の下方から吊りボルト２０を螺着することが可能であるが、上階の床スラブ用コンクリートを打設する前に、吊りボルト２０を取付けて配管等を取り付けた場合、一枚の鋼板であるデッキプレートの強度が配管ダクト等の重さに耐えきれないため、インサートの鋼製スリーブなどの下端により前記デッキプレート１０に形成した貫通孔１０ａが広がってしまいインサートが前記貫通孔１０ａから抜け落ちてしまい、実際には、コンクリート３０の打設前に上記吊りボルト２０を用いた配管の取付など下階の天井設備類の工事は不可能である。
また、前記スプリング式のインサートでは、開口に挟める際に便利なスプリングがコンクリート打設前には、不要な縮みを発生するため、打設前に設備の吊込みは不可能となっていた。更に、前記インサートは、合成樹脂製スリーブ２２、該スリーブ２２に形成した抜止め弾性片２２ａ、インサート金物２１の外周にインサート金物２１を上昇付勢するコイルスプリング２３と、インサート金物２１の大径鍔部２１ａとの当接によりインサート金物２１が一定以上下降することを阻止する鋼製スリーブ２４とを套嵌した構造であり、構造が複雑であり、製造に費用が掛かるという問題があった。
【先行技術文献】
【特許文献】
【０００６】
【特許文献１】実用新案登録第２５７９５９１号公報
【発明の概要】
【発明が解決しようとする課題】
【０００７】
一方、近年は、現場でデッキプレートに鉄筋を配筋する作業工程を省略できるよう、工場出荷の際にデッキプレートに鉄筋をトラス状に組み上げ溶接して配設したもの（例えば、日鐵住金建材株式会社販売のＳＦデッキ（登録商標）をデッキプレートとした、ケンテック株式会社販売の鉄筋トラス付デッキであるスーパーフェローデッキ（登録商標）等）が使われるようになった。このような捨型枠として敷設するデッキプレートに予め床用鉄筋トラスが溶接された鉄筋トラス付デッキプレート（以降、鉄筋トラス付きデッキプレートという。）は、従来のデッキプレートよりはるかに強度が高くなっていて、コンクリート打設前であっても、該鉄筋トラス付きデッキプレートにインサートを取付け、該インサートに配管等を吊っても十分な強度が確保できている。
本発明は、上記背景技術の事情に鑑み、上階の床構造材用のコンクリートを打設する前に、下階の天井設備類の工事を行って工期を短縮し得るようにしたインサートをデッキプレートに取付け下部に下階の天井設備類を吊設支持する吊込構造体及び前記インサートを用いたデッキプレート下部の天井設備類取付方法を提供しようとするものである。
【課題を解決するための手段】
【０００８】
（１）捨型枠として敷設するデッキプレートに予め床用鉄筋トラスが溶接された鉄筋トラス付デッキプレートに下階の天井設備類を吊設するためのインサートを前記鉄筋トラス付デッキプレートに取付け下部に下階の天井設備類を吊設支持する吊込構造体であって、
前記鉄筋トラス付デッキプレートのデッキプレート基板に穿設された貫通孔に挿通される寸切りボルトと、前記寸切りボルトに前記デッキプレート基板を挟持するようにして螺着される上部ナットと下部ナットとで構成されるインサートと、
前記寸切りボルトの上方部に螺着された上方上部ナット及び上方下部ナットで挟持される大ワッシャと
前記寸切りボルトの下方部に螺着された長ナットと、
該長ナットの下方部に螺着された天井設備類の吊込部材と
からなることを特徴とする前記インサートを前記鉄筋トラス付デッキプレートに取付け下部に下階の天井設備類を吊設支持する吊込構造体。
【０００９】
（２）捨型枠として敷設するデッキプレートに予め床用鉄筋トラスが溶接された鉄筋トラス付デッキプレートにコンクリートを打設するのに先立って、予め建物の床用に複数の鉄筋トラス付デッキプレート同士を鉄筋トラス間で現場溶接した、鉄筋トラス付デッキプレートのデッキプレート基板に穿設された挿通孔に、
前記寸切りボルトの上方部に大ワッシャを上方上部ナットと上方下部ナットとによって挟持、締結し、その下方部に上部ナットを螺着させたインサートを挿入し、
次いで前記寸切りボルトの下方から下部ナットを螺挿して、前記上部ナットと下部ナットとでデッキプレート基板を挟持するようにして螺着してインサートをデッキプレート基板に締結した後、
前記寸切りボルト下部に長ナットの一端を螺着し、該長ナットの他端のねじ部に天井設備類の吊込部材を螺着して取り付け、
該天井設備類の吊込部材に天井設備類取付部材を接続し、
天井設備類取付部材に天井設備類を取り付けることを特徴とする鉄筋トラス付デッキプレート下部への天井設備類取付方法。
（３）前記天井設備類が、天井下地、天井裏に設置される空調用ダクト、排煙ダクト、給湯管、給水管、電線管、各種ケーブルであることを特徴とする前記（２）に記載の鉄筋トラス付デッキプレート下部への天井設備類取付方法。
【発明の効果】
【００１０】
本発明によれば、以下の優れた効果が発揮できる。
（１）鉄筋トラス付デッキプレートに天井設備類を吊設するためのインサートを取付けるデッキプレートとインサートとの取付構造体であって、
鉄筋トラス付デッキプレートのデッキプレート基板に穿設された貫通孔に挿通されるボルトと、前記ボルトに前記デッキプレート基板を挟持するようにして螺着される上部ナットと下部ナットとで構成されるインサートと、
前記ボルトの下方部に螺着された長ナットと、
該長ナットの下方部に螺着された天井設備類の吊込部材と
からなることを特徴とする前記インサートを前記鉄筋トラス付デッキプレートに取付け下部に下階の天井設備類を吊設支持する吊込構造体とからなるので、
インサートが、強度を有する鉄筋トラス付デッキプレートを上部ナットと下部ナットで挟持するように強固に締結され、下方からの加重にも十分耐えうる構造となることから、上階の床構造材のコンクリートを打設する前に、下階の天井設備類の配設工事を行うことができ、コンクリート打設工事の施工を待つ必要がなくなり、工期を大幅に短縮することが出来る。
また、直上階の床構造材のコンクリート硬化期間を待たずに下階の設備工事ができることから、投入人員の削減も可能となり、利益を生む工程管理ができる。
さらに、施工が急がれるルーフドレイン配管もでき雨水処理する工事を待つ必要がないことから、工程の圧迫から解放される。
【００１１】
（２）捨型枠として敷設するデッキプレートに予め床用鉄筋トラスが溶接された鉄筋トラス付デッキプレートに下階の天井設備類を吊設するためのインサートを前記鉄筋トラス付デッキプレートに取付け下部に下階の天井設備類を吊設支持する吊込構造体であって、
前記鉄筋トラス付デッキプレートのデッキプレート基板に穿設された貫通孔に挿通される寸切りボルトと、前記寸切りボルトに前記デッキプレート基板を挟持するようにして螺着される上部ナットと下部ナットとで構成されるインサートと、
前記寸切りボルトの上方部に螺着された上方上部ナット及び上方下部ナットで挟持される大ワッシャと
前記寸切りボルトの下方部に螺着された長ナットと、
該長ナットの下方部に螺着された天井設備類の吊込部材と
からなることを特徴とする前記インサートを前記鉄筋トラス付デッキプレートに取付け下部に下階の天井設備類を吊設支持する吊込構造体とからなるので、上記効果に加え、万が一上部ナット３ａが貫通孔１ｄから抜け落ちた場合であっても、大ワッシャがストッパとなり、より安全な構造となる。
また、コンクリート打設時には、大ワッシャとそれを挟持するナットがコンクリート内に埋設されるので、さらに強固なアンカー効果を発揮することができる。
【図面の簡単な説明】
【００１２】
【図１】本発明のデッキプレートとインサートの取付構造体の一例を示す断面図である。
【図２】本発明のデッキプレートとインサートの取付構造体の他の例を示す断面図である。
【図３−１】本発明におけるインサートを用いたデッキプレート下部の天井設備類取付方法の一例を示す図である。
【図３−２】本発明におけるインサートを用いたデッキプレート下部の天井設備類取付方法の一例を示す図である。
【図３−３】本発明におけるインサートを用いたデッキプレート下部の天井設備類取付方法の一例を示す図である。
【図３−４】本発明におけるインサートを用いたデッキプレート下部の天井設備類取付方法の他の例を示す図である。
【図４−１】本発明におけるインサートを用いたデッキプレート下部の天井設備類取付方法の他の例を示す図である。
【図４−２】本発明におけるインサートを用いたデッキプレート下部の天井設備類取付方法の他の例を示す図である。
【図４−３】本発明におけるインサートを用いたデッキプレート下部の天井設備類取付方法の他の例を示す図である。
【図４−４】本発明におけるインサートを用いたデッキプレート下部の天井設備類取付方法の他の例を示す図である。
【図５】本発明のインサートの使用状態を表す図である
【図６】鉄筋付きデッキプレートの説明図である
【図７】従来の吊りボルトの取付け構造を示す断面図である。
【図８】従来の吊りボルトに天井設備類の荷重がかかった状態を示す断面図である。
【発明を実施するための形態】
【００１３】
本発明のインサートを鉄筋トラス付デッキプレートに取付け下部に下階の天井設備類を吊設支持する吊込構造体を実施するための形態を実施例の図に基づいて説明する。
図１は、本発明のインサートを鉄筋トラス付デッキプレートに取付け下部に下階の天井設備類を吊設支持する吊込構造体の一例を示す断面図、図２は、本発明のインサートを鉄筋トラス付デッキプレートに取付け下部に下階の天井設備類を吊設支持する吊込構造体の他の例を示す断面図である。
図中、１はデッキプレート、１ａはデッキプレート基板、１ｂは山形の鉄筋、１ｃは、鉄筋１ｂを補強する補強鉄筋、１ｄは貫通孔、であり、２はインサート、２ａはボルト、３ａは上方上部ナット、３ｂは上方下部ナット、４は大ワッシャ、５ａは上部ナット、５ｂは下部ナット、６はワッシャ、７は長ナット、８は吊込部材、９は配管ダクト、Ａは天井設備類取付部材である。
【００１４】
本発明のインサートを鉄筋トラス付デッキプレートに取付け下部に下階の天井設備類を吊設支持する吊込構造体を構成する鉄筋トラス付デッキプレート１は、図６の鉄筋トラス付デッキプレートの説明図に示すように、デッキプレート基板１ａに山形の鉄筋１ｂと該鉄筋１ｂを補強する鉄筋１ｃとが溶接して固着されている。
上記のような構成の鉄筋トラス付デッキプレートは、鉄筋が配筋されていないデッキプレートと比べ、４倍以上の強度を有する。本発明は、このようなコンクリート打設前でも、十分な強度を有するデッキプレートに採用することができる吊込構造体である。
そして、本発明のインサートを鉄筋トラス付デッキプレートに取付け下部に下階の天井設備類を吊設支持する吊込構造体の一例は、図１に示すように、前記鉄筋トラス付デッキプレート１のデッキプレート基板１ａに穿設された貫通孔１ｄに挿通されるボルト２ａと、前記ボルト２ａに前記デッキプレート基板１ａを挟持するようにして螺着される上部ナット５ａと下部ナット５ｂとで構成されるインサート２と、前記ボルト２ａの下方部に螺着された長ナット７と、該長ナット７の下方部に螺着された天井設備類の吊込部材８とから構成される。
本実施例においては、上部ナット５ａと下部ナット５ｂで、デッキプレート基板１ａを挟持する構成としているが、ボルト２ａとして頭部が六角形の六角ボルト等を採用した場合には、前記ボルト２ａに上部ナット５ａを螺着した後に前記ボルト２ａをデッキプレート基板１ａに穿設された貫通孔１ｄに挿通し、その後デッキプレート基板１ａの下方から下部ナット５ｂを螺着し、前記ボルト２ａの頭部がスラブコンクリート厚の途中に位置するよう、上部ナット５ａと下部ナット５ｂを締結し、デッキプレート基板１ａを挟持する構成とすることもできる。この場合は、前記ボルト２ａの頭部がコンクリート打設後のアンカの働きもすることとなる。
すなわち、デッキプレート基板１ａを確実に挟持できるインサートを構成できればよく、ボルト２ａは、図１に示すような寸切りボルトに限定されるものではなく、六角ボルト等を任意の部材を採用することができる。
なお、前記上部ナット５ａとデッキプレート基板１ａの間にワッシャ６を介してもよく、その場合には、小径である上部ナット５ａがデッキプレート基板１ａと直接触れないので、大径であるワッシャ６が自身が撓みにくく補強効果を発揮する。
【００１５】
また、本発明のデッキプレート１とインサート２の取付構造の他の例は、図２に示すように、前記鉄筋トラス付デッキプレート１のデッキプレート基板１ａに穿設された貫通孔１ｄに挿通されるボルト２ａと、前記ボルト２ａに前記デッキプレート基板１ａを挟持するようにして螺着される上部ナット５ａと下部ナット５ｂとで構成されるインサート２と、前記ボルト２ａの上方部に螺着された上方上部ナット３ａ及び上方下部ナット３ｂで挟持される大ワッシャ４と、前記ボルト２ａの下方部に螺着された長ナット７と、該長ナット７の下方部に螺着された天井設備類の吊込部材８とから構成される。この場合のボルト２ａは、頭部のない寸切りボルトであり、上方からも上方上部ナット３ａ、上方下部ナット３ｂを螺着できる。
上記寸切りボルト２ａの上方上部ナット３ａ及び上方下部ナット３ｂにより挟持され締結された大ワッシャ４は、コンクリート打設後においては強固なアンカー効果を発揮する。
【００１６】
図３、図４を用いて、上記の構成からなる本発明の鉄筋トラス付デッキプレート１とインサート２の取付構造体の実施例における、コンクリート打設前の下階に配管ダクト等の天井設備類の取付方法について説明する。
図３−１〜４は、本発明の鉄筋トラス付デッキプレート下部への天井設備類取付方法の例を示している。
鉄筋トラス付デッキプレート１にコンクリートを打設するのに先立って、予め建物の床用に配設した鉄筋トラス付デッキプレート１のデッキプレート基板１ａに挿通孔１ｄが穿設される（図３−１（ａ））
そして、前記挿通孔１ｄに、前記ボルト２ａに上部ナット５ａが螺着させた状態のインサート２が挿入される（図３−１（ｂ））。
次いで前記ボルト２ａの下方から下部ナット５ｂが螺挿される（図３−１（ｃ））。
そして、前記上部ナット５ａと下部ナット５ｂとが、デッキプレート基板１ａを挟持するようにして螺着され、インサート２がデッキプレート基板１ａに締結される（図３−２（ｄ））。
その後、前記ボルト２ａ下部に長ナット７の一端が螺着され（図３−２（ｅ）、（ｆ））、該長ナット７の他端のねじ部に天井設備類の吊込部材８が螺着されて取り付けられる（図３−３（ｇ））。
そして、該天井設備類の吊込部材８に天井設備類取付部材Ａが接続され（図３−３（ｈ））、天井設備類取付部材Ａに天井設備類が取り付けられ（図５参照）、その後、上階の床構造材となるデッキプレート１上にコンクリートが打設される（図３−４（ｉ））。
本発明の実施形態においては、前記のように上部ナット５ａ及び下部ナット５ｂでデッキプレート基板１ａを挟持し、インサート２をデッキプレート基板１ａに締結しているので、インサート２がデッキプレート本体１に強固に固定されるため、コンクリート打設前にインサートを利用して配管等を吊り込んでもインサート２が落下することもなく、配管等の天井設備類がずれることがない。
【００１７】
図４−１〜４は、本発明のデッキプレート下部への天井設備類取付方法の他の例を示している。
鉄筋トラス付デッキプレート１にコンクリートを打設するのに先立って、予め建物の床用に配設した鉄筋トラス付デッキプレート１のデッキプレート基板１ａに挿通孔１ｄが穿設される（図３−１（ａ））
そして、前記挿入孔１ｄに、前記寸切りボルト２ａの上方部に大ワッシャ４が上方上部ナット３ａと上方下部ナット３ｂとによって挟持、締結され、その下方部に上部ナット５ａを螺着させた状態のインサート２が挿入される。（図４−１（ｂ））。
次いで前記ボルト２ａの下方から下部ナット５ｂが螺挿される（図４−１（ｃ））。
そして、前記上部ナット５ａと下部ナット５ｂとが、デッキプレート基板１ａを挟持するようにして螺着され、インサート２がデッキプレート基板１ａに締結される（図４−２（ｄ））。
その後、前記ボルト２ａ下部に長ナット７の一端が螺着され（図４−２（ｅ）、（ｆ））、該長ナット７の他端のねじ部に天井設備類の吊込部材８が螺着されて取り付けられる（図４−３（ｇ））。
そして、該天井設備類の吊込部材８に天井設備類取付部材Ａが接続され（図４−３（ｈ））、天井設備類取付部材Ａに天井設備類が取り付けられ（図５参照）、その後、上階の床構造材となる鉄筋トラス付デッキプレート１上にコンクリートが打設される（図４−４（ｉ））。
本発明の実施形態においては、前記のようにボルト２ａの上方部に、大ワッシャ４が、上方上部ナット３ａ及び上方下部ナット３ｂで挟持され締結されているので、コンクリート打設前においては、デッキプレート基板１ａからの落下を防止し、コンクリート打設後においては、強固なアンカー効果を発揮する構造となる。
【符号の説明】
【００１８】
１：デッキプレート本体
１ａ：デッキプレート基板
１ｂ：山形の鉄筋
１ｃ：補強鉄筋
１ｄ：貫通孔
２：インサート
２ａ：ボルト
３ａ：上方上部ナット
３ｂ：上方下部ナット
４：大ワッシャ
５ａ：上部ナット
５ｂ：下部ナット
６：ワッシャ
７：長ナット
８：吊込部材
９：配管ダクト
Ａ：天井設備類取付部材
【図１】
0006748470.tif 000002
【図２】
0006748470.tif 000003
【図３−１】
0006748470.tif 000004
【図３−２】
0006748470.tif 000005
【図３−３】
0006748470.tif 000006
【図３−４】
0006748470.tif 000007
【図４−１】
0006748470.tif 000008
【図４−２】
0006748470.tif 000009
【図４−３】
0006748470.tif 000010
【図４−４】
0006748470.tif 000011
【図５】
0006748470.tif 000012
【図６】
0006748470.tif 000013
【図７】
0006748470.tif 000014
【図８】
0006748470.tif 000015